(57)【要約】【課題】送風路の下流端開口の位置を上下に調整可能な浴室暖房機において、設置性に優れ且つ運転性能の高い浴室暖房機を提供すること。【解決手段】本体ケース１１内に導入された空気をカバー１２の吹出口２２へ導く送風路１３を備え、送風路１３が、給気手段１５の空気送出部１５０からケース開口部１１０へ向かって延設される本体筒部１３１と、下端開口部２３が吹出口２２に対向し、本体筒部１３１のケース開口部１１０側の端部１３３に上下移動可能な状態で設けられる可動筒部１３２とで構成され、本体ケース１１の前壁１１Ａ内側に、可動筒部１３２を本体ケース１１内の上位置で係合支持可能な係合部３２が設けられ、可動筒部１３２をカバー１２にネジ締めするに従って、可動筒部１３２が、上位置で係合支持された状態から下方へ移動し、下端開口部２３の周縁を吹出口１２の周縁上部に当接させた状態で固定される構成としたこと。【選択図】図１
2016138693.tif 000002
【特許請求の範囲】
【請求項１】
浴室の天井裏に配設される下面開放箱状の本体ケースと、本体ケース下面のケース開口部を下方から覆うカバーと、浴室内の空気を本体ケース内に導入する給気手段と、本体ケース内に導入された空気を加熱する加熱手段と、本体ケース内に導入された空気をカバーの吹出口へ導く送風路とを備え、送風路が、給気手段の空気送出部からケース開口部へ向かって延設される本体筒部と、下端開口部が前記吹出口に対向し、本体筒部のケース開口部側の端部に上下移動可能な状態で設けられる可動筒部とで構成された浴室暖房機であって、
本体ケースの前壁内側に、可動筒部を本体ケース内の所定の上位置で係合支持可能な係合部が設けられ、
可動筒部をカバーにネジ締めするに従って、可動筒部が、前記上位置で係合支持された状態から下方へ移動し、下端開口部の周縁を吹出口の周縁上部に当接させた状態で固定される構成とした、浴室暖房機。
【請求項２】
請求項１に記載の浴室暖房機において、
本体ケースの前壁内側に、係合部として送風路の前壁側へ突出する係止片が設けられ、
可動筒部の前壁外側に、本体ケースの前壁側へ突出する突起が設けられ、
可動筒部を非係合位置から前記上位置まで移動させることで、突起が、係止片または突起の少なくとも何れか一方の弾性力に抗して係止片の上部に移動し係合される構成とした、浴室暖房機。
【請求項３】
請求項１または２に記載の浴室暖房機において、
本体ケースの前壁内側に、本体筒部に対する可動筒部の前記上位置における上下方向への移動を許容し、前後および左右方向への移動を阻止する案内部が設けられた、浴室暖房機。
【発明の詳細な説明】
【技術分野】
【０００１】
本発明は、浴室暖房機、特に、浴室の天井に埋設して使用される浴室暖房機に関する。
【背景技術】
【０００２】
従来、ファンや熱交換器を収容する下面開放箱状の本体ケースと、本体ケース下面のケース開口部を浴室側から覆うカバーとを備え、本体ケースを天井裏の空間に吊り下げた状態で取り付け、ケース開口部外周のフランジとカバーとで浴室の天井壁を上下から挟み付けるようにして設置される浴室暖房機が知られている。ところが、このようにして設置される浴室暖房機の場合、天井壁の厚みが基準より大きいと、本体ケースの内部に設けられた送風路の下流端とカバーの吹出口周縁との間に不要な隙間が形成されてしまい、上記隙間からの空気漏れによって暖房や乾燥など運転性能が低下する虞があった。
【０００３】
そこで、この種の浴室暖房機において、送風路が、ファンの空気送出部からケース開口部へ向かって延設される本体筒部と、本体筒部のケース開口部側の端部に上下移動可能な状態で設けられる可動筒部とで構成され、さらに本体筒部と可動筒部との側壁相互をバネ部材で連結することで、送風路の下流端開口の位置を上下自在に調整できるようにしたものが提案されている（例えば、特許文献１および２参照）。
【０００４】
このものでは、天井壁の厚みが異なっても、送風路の下流端（可動筒部の下端）を吹出口の周縁上部に当接させた状態で設置することができるから、上記空気漏れによる運転性能の低下が生じ難い。
【先行技術文献】
【特許文献】
【０００５】
【特許文献１】特開２０１４−３１９４０号公報
【特許文献２】特開２００１−２０８４１３号公報
【発明の概要】
【発明が解決しようとする課題】
【０００６】
しかしながら、上記従来の浴室暖房機のように、本体筒部と可動筒部とをバネ部材で連結したものでは、バネ部材の長さや弾性力の差異によって、可動筒部が本体ケースに対して傾いて保持されたり、本体ケース内の上方に位置し過ぎたりして、設置作業に手間がかかる場合がある。
【０００７】
また、本体ケースの左右幅は、天井の取付口の寸法に制限があるため一定以上大きく設定できない。一方で、暖房運転や乾燥運転時の空気の循環効率を考慮すれば、送風路の左右幅は、温風が浴室内に効率良く行き渡るようできる限り大きく設定するのが望ましい。しかしながら、上記従来の浴室暖房機のように、送風路の本体筒部と可動筒部との側壁相互をバネ部材で連結したものでは、本体ケースと送風路との対向する側壁相互間に、バネ部材を配設するための空間を確保する必要があるため、その分、送風路の左右幅を小さく設定せざるを得なかった。
【０００８】
本発明は、上記課題を鑑みてなされたものであり、その目的は、送風路の下流端開口の位置を上下に調整可能な浴室暖房機において、設置性に優れ、且つ、浴室内に効率良く温風を送出可能な運転性能の高い浴室暖房機を提供することにある。
【課題を解決するための手段】
【０００９】
本発明は、浴室の天井裏に配設される下面開放箱状の本体ケースと、本体ケース下面のケース開口部を下方から覆うカバーと、浴室内の空気を本体ケース内に導入する給気手段と、本体ケース内に導入された空気を加熱する加熱手段と、本体ケース内に導入された空気をカバーの吹出口へ導く送風路とを備え、送風路が、給気手段の空気送出部からケース開口部へ向かって延設される本体筒部と、下端開口部が前記吹出口に対向し、本体筒部のケース開口部側の端部に上下移動可能な状態で設けられる可動筒部とで構成された浴室暖房機であって、本体ケースの前壁内側に、可動筒部を本体ケース内の所定の上位置で係合支持可能な係合部が設けられ、可動筒部をカバーにネジ締めするに従って、可動筒部が、前記上位置で係合支持された状態から下方へ移動し、下端開口部の周縁を吹出口の周縁上部に当接させた状態で固定される構成としたものである。
【００１０】
このものでは、設置前に、本体ケースの前壁内側に設けられた係合部によって、可動筒部を本体ケース内の上位置で係合支持させておくことができるから、設置する際、可動筒部とカバーとの固定に手間がかからない。また、本体ケースと送風路との対向する側壁相互間に、バネ部材など本体筒部と可動筒部とを連結させる機構を設ける必要がないから、その分、送風路の左右幅を従来のものより大きく設定することもできる。
【００１１】
また、本発明は、上記浴室暖房機において、本体ケースの前壁内側に、係合部として送風路の前壁側へ突出する係止片が設けられ、可動筒部の前壁外側に、本体ケースの前壁側へ突出する突起が設けられ、可動筒部を非係合位置から前記上位置まで移動させることで、突起が、係止片または突起の少なくとも何れか一方の弾性力に抗して係止片の上部に移動し係合される構成としたものである。
【００１２】
カバーを本体ケースから取り外した際に可動筒部が弾性力により本体ケース内へ収容されるよう、本体筒部と可動筒部との側壁相互を引張バネで連結したものでは、可動筒部の重量より大きな弾性力を備えた引張バネ、即ち、比較的大型の引張バネが用いられる。そのため、設置する際に、可動部材を本体ケースから引き下ろし難く、設置作業に手間がかかる。また、本体ケースと送風路との対向する側壁相互間により大きな空間を確保する必要もある。
【００１３】
しかしながら、上記発明の浴室暖房機では、可動筒部を本体ケースの上位置まで移動させた際、本体ケースの前壁内側にて可動筒部が弾性を持って係合支持されるから、可動筒部を本体ケースの上位置で仮止めした状態から容易に下方へ移動させることができる。また、本体ケースと送風路との対向する側壁相互間に、可動筒部を本体ケース内の上位置に保持させる機構を設ける必要がないから、その分、送風路の左右幅をより大きく設定することもできる。
【００１４】
また、本発明は、上記浴室暖房機において、本体ケースの前壁内側に、本体筒部に対する可動筒部の前記上位置における上下方向への移動を許容し、前後および左右方向への移動を阻止する案内部が設けられたものである。
【００１５】
このものでは、可動筒部をカバーに固定する際に、本体ケースの前壁内側に設けられた案内部によって、可動筒部の前後左右へのずれが防止されるから、下端開口部の周縁と吹出口の周縁上部との間に不要な隙間がより形成され難い。しかも、このものでは、本体ケースと送風路との対向する側壁相互間に、可動筒部の前後および左右方向への移動を防止するための機構を設ける必要がないから、送風路の左右幅をより大きく設定することもできる。
【発明の効果】
【００１６】
以上のように、本発明によれば、送風路の下流端開口の位置を上下に調整可能な浴室暖房機において、可動筒部を本体ケースの前壁内側に係合支持させることで、設置の際に、可動筒部とカバーとの固定に手間がかからないし、送風路の左右幅を従来のものより大きく設定できるから、設置性に優れ、且つ、温風を浴室内に効率良く送出可能な運転性能の高い浴室暖房機を提供できる。
【図面の簡単な説明】
【００１７】
【図１】図１は、本発明の実施の形態に係る浴室暖房機の概略構成図である。
【図２】図２は、本発明の実施の形態に係る浴室暖房機の側面視縦断面図である。
【図３】図３は、本発明の実施の形態に係る浴室暖房機の正面視縦断面図である。
【図４】図４は、本発明の実施の形態に係る浴室暖房機の可動筒部周辺の側面視縦断面図（１）である。
【図５】図５は、本発明の実施の形態に係る浴室暖房機の可動筒部周辺の側面視縦断面図（２）である。
【図６】図６は、本発明の実施の形態に係る浴室暖房機の係合部周辺の斜視図である。
【発明を実施するための形態】
【００１８】
次に、上記した本発明を実施するための形態について、添付図面を参照しながら詳述する。
図１から図３に示すように、本発明の実施の形態に係る浴室暖房機１は、浴室４の天井壁４１に埋設して使用される所謂天井埋設型の浴室暖房機であって、浴室４の天井裏４０に吊り下げ状態で設置される下面開放箱状の本体ケース１１と、本体ケース１１下面のケース開口部１１０を天井壁４１に開設された取付口４１０の下方から覆うカバー１２とを備えている。
【００１９】
本体ケース１１の内部空間（以下、「ケース内部」という）１０には、浴室４内の空気をケース内部１０に導入し、送風路１３を通じて浴室４内へ送出する、或いは、排気筒１４を通じて室外へ排出する給気手段としてのファン１５と、ファン１５によって送風路１３へ送り込まれた空気を加熱する加熱手段としての熱交換器１６とが組み込まれている。
【００２０】
本体ケース１１の周壁（以下、「ケース周壁」という）１１１は、前壁１１Ａ、後壁１１Ｂ、左側壁１１Ｃ、および、右側壁１１Ｄで構成されており、前壁１１Ａの外側面に排気筒１４が設けられている。尚、本明細書では、前壁１１Ａの外側面を浴室暖房機１の正面とし、本体ケース１１を正面側から見たときの奥行き方向を前後方向、幅方向を左右方向、高さ方向を上下方向という。
【００２１】
ケース周壁１１１の下端外周、即ち、ケース開口部１１０の外周縁には、全周に亘ってフランジ１１２が形成されており、本体ケース１１は、ケース開口部１１０を取付口４１０に上方から臨ませ、且つ、フランジ１１２の下面を取付口４１０の外周上面に当接させた状態で、図示しない複数の吊り下げボルトおよびナットによって天井裏４０に固定される。
【００２２】
カバー１２の外周枠１２１は、全周に亘って上向きに起立形成されており、カバー１２は、外周枠１２１の上端面を取付口４１０の外周下面に当接させた状態で、複数のカバー固定ネジ１７によって本体ケース１１に固定される。このように、浴室暖房機１は、本体ケース１１下面のフランジ１１２とカバー１２の外周枠１２１とで天井壁４１の取付口４１０周縁を上下から挟み付けるようにして設置される。
【００２３】
カバー１２には、浴室４内の空気をケース内部１０に導入するための吸込口２１と、ケース内部１０に導入された空気を送出するための吹出口２２とが開設されている。吸込口２１は、左右方向に長い複数の長孔で構成されており、カバー１２の後方側の半面領域に開設されている。吹出口２２は、左右方向に長い略長方形状の一つの長孔であり、カバー１２の前方側の半面領域に開設されている。
【００２４】
ファン１５は、シロッコファンであって、本体ケース１１の左右の側壁１１Ｃ，１１Ｄ相互間に軸支され、ファンケース１５１の外周面に設けられた空気送出口１５０を前方へ向けた姿勢でケース内部１０の後壁１１Ｂ寄りの位置に組み込まれている。
【００２５】
熱交換器１６は、図示しない熱源機から供給される熱媒の熱により空気を加熱する熱媒循環式の熱交換器であって、左右方向へ縦並びに配設される複数の吸熱フィン１６１と、吸熱フィン１６１に左右方向から貫設される複数の吸熱管１６２とで構成され、送風路１３の下流端寄りの位置に組み込まれている。
【００２６】
各吸熱管１６２の管端相互は、Ｕ字曲管１６３により接続され、一つの熱媒流路を構成している。また、上記熱媒流路の入口側の管端には、熱媒導入管１６４が接続され、熱媒流路の出口側の管端には、熱媒導出管１６５が接続されている。
【００２７】
送風路１３は、ファン１５の空気送出口１５０からカバー１２の吹出口２２へ前方斜め下向きに延設されている。また、送風路１３は、ファン１５の空気送出口１５０からケース開口部１１０へ向かって延設される本体筒部１３１と、本体筒部１３１のケース開口部１１０側の端部（以下、「下流端部」という）１３３からカバー１２の吹出口２２へ向かって延設される可動筒部１３２とで構成されている。本体筒部１３１および可動筒部１３２は、何れも左右方向に広幅の略矩形筒状に形成されており、可動筒部１３２の下端開口部２３が送風路１３の下流端となり、カバー１２の吹出口２２に上方から臨んでいる。
【００２８】
本体筒部１３１は、ケース内部１０に位置決め状態で固定されており、本体筒部１３１の下流端部１３３に熱交換器１６が組み込まれている。Ｕ字配管１６３、熱媒導入管１６４、および、熱媒導出管１６５は、本体ケース１１の側壁１１Ｃ，１１Ｄと本体筒部１３１の側壁１３１Ｃ，１３１Ｄとの間、即ち、本体ケース１１と送風路１３との対向する側壁相互間に画成された間隙１００に配設される。
【００２９】
本体筒部１３１における熱交換器１６の配設部より上流側の位置には、ファン１５によってケース内部１０に導入された空気の送出経路を、吹出口２２側（循環側）と排気筒１４側（排気側）とに切替可能な風路切替ダンパ１８が設けられている。
【００３０】
可動筒部１３２は、ケース開口部１１０より下方へ突出した所定の下位置と、ケース内部１０に収容された所定の上位置との間で上下に摺動可能な状態で、本体筒部１３１の下流端部１３３の外周に環装されており、下端開口部２３の周縁を吹出口２２の周縁上面に当接させた状態で、複数の筒固定ネジ１９によってカバー１２に固定される。従って、天井壁４１の取付口４１０周縁の厚みが異なっても、下端開口部２３と吹出口２２との間に不要な隙間が形成されず、空気漏れが生じ難い。
【００３１】
可動筒部１３２の左右の側壁１３２Ｃ，１３２Ｄ相互間で且つ下端開口部２３寄りの位置には、運転時に空気の吹出方向を変更し、停止時に下端開口部２３を被閉するルーバ２０が軸支されている。また、可動筒部１３２の一方の側壁１３２Ｃの外側面には、ルーバ２０の角度を調整するための風向制御モータ２００が取り付けられている。
【００３２】
図４から図６に示すように、可動筒部１３２の前壁１３２Ａの外側面には、上面視略コ字状の台部３０が形成され、台部３０の前面中央には、前方へ突出する側面視略三角形状の突起３１が形成されている。一方、本体ケース１１の前壁１１Ａの内側には、可動筒部１３２を上位置に移動させた際に突起３１と係合し、可動筒部１３２を下方から支持する側面視略Ｌ字板状の係合金具３２が設けられている。
【００３３】
係合金具３２の下端には、送風路１３の前壁１３Ａ側へ突起３１の前端より後方位置まで突出する係止片３２１が形成されており、可動筒部１３２を下位置から上方へ移動させた際、係止片３２１の後端は、突起３１の上傾斜面３１１に当接するように構成されている。一方、突起３１は、下端が台部３０に片持ち状に支持されており、後方へ所定以上の押圧力が加わることで、前壁１３２Ａ側へ弾性をもって後退し、上記押圧力が消失すれば、弾性力によって元の突出位置に復帰するよう構成されている。
【００３４】
従って、係止片３２１が上傾斜面３１１に当接した状態からさらに上方へ可動筒部１３２を移動させれば、それに伴って突起３１が係止片３２１により後方へ押されて弾性変形し、係止片３２１の後端を越えて上方へ移動して係合状態となる。このとき、係止片３２１の後端は、突起３１の下傾斜面３１２に当接する。これにより、可動筒部１３２は、本体筒部１３１に対して抜け止め状態でケース内部１０の上位置に係合支持され、略全体がケース内部１０の所定位置に収容された状態とな
る（図５参照）。尚、可動筒部１３２は、工場出荷前の組立段階でケース内部１０の上位置に係合支持させる。このように、設置前に可動筒部１３２をケース内部１０の上位置に係合支持させておけば、カバー１２を本体ケース１１に取り付ける際に可動筒部１３２が作業の邪魔にならないし、カバー１２と可動筒部１３２との接触による破損を防止することもできる。
【００３５】
また、設置する際には、カバー１２を本体ケース１１に取り付けた後、可動筒部１３２を筒固定ネジ１９で本体ケース１１にネジ締めすれば、可動筒部１３２がケース内部１０の上位置に係合支持された仮固定状態から下方側へ移動し、それに伴って突起３１が係止片３２１により後方へ押されて弾性変形する。そしてさらに筒固定ネジ１９をネジ締めすれば、突起３１が係止片３２１から外れて非係合状態となる。これにより、可動筒部１３２が下端開口部２３の周縁を吹出口２２の周縁上面に当接させた状態でカバー１２に固定される（図４参照）。よって、設置の手間が少ない。尚、天井壁４０の厚みや突起３１の大きさ、筒固定ネジ１９の長さによって、可動筒部１３２の下方への移動距離が異なるため、係止片３２１に突起３１が係合支持された状態のまま可動筒部１３２がカバー１２に固定されてもよい。
【００３６】
前壁１３２Ａの外側面には、側面視略Ｌ字板状の軸板３３が上向きに起立形成されている。一方、係合金具３２の上端には、平板状の連結片３２２が後方（送風路１３の前壁１３Ａ側）へ向かって突出形成されている。また、連結片３２２の中央部には、軸板３３の断面形状と略同一の横長矩形状の軸受孔３４が開設されており（図６参照）、可動筒部１３２をケース内部１０の上位置まで移動させた際、軸板３３は、軸受孔３４に上下摺動可能な状態で挿通される。即ち、可動筒部１３２は、ケース内部１０の上位置において、本体筒部１３１に対する上下方向への移動のみ許容され、前後および左右方向への移動は阻止される。
【００３７】
台部３０の外側面上端には、側面視略Ｌ字板状で且つ正面視略コ字状の引掛けリング３５が形成されている。一方、係合金具３２の係止片３２１の後端には、可動筒部１３２が下位置に移動した際に引掛けリング３５と係合する平板状の爪片３６が上向きに突出形成されている。従って、突起３１と係止片３２１とが非係合状態である場合に、カバー１２が本体ケース１１から取り外されても、可動筒部１３２は、本体ケース１１に引掛かった状態で保持され、落下しない。
【００３８】
このように、上記浴室暖房機１によれば、バネ部材を用いることなく、本体ケース１１の前壁１１Ａの内側に設けられた係合金具３２によって、可動筒部１３２を本体ケース１１内の上位置に上下摺動可能な状態で仮止め支持させることができるから、設置する際、可動筒部１３２とカバー１２との固定に手間がかからない。よって、設置性が向上する。また、送風路１３および本体ケース１１の対向する側壁相互の間隙１００に、バネ部材など本体筒部１３１と可動筒部１３２とを連結させる機構を設ける必要がないから、その分、送風路１３の左右幅を大きく設定することもできる。よって、暖房運転や乾燥運転時に、温風を浴室４内に効率良く送出でき、運転性能が向上する。
【００３９】
また、このものでは、可動筒部１３２をケース内部１０の上位置まで移動させた際、本体ケース１１の前壁１１Ａの内側にて可動筒部１３２が弾性を持って係合支持されるから、可動筒部１３２を本体ケース１１の上位置で仮止めした状態から容易に下方へ移動させることができる。よって、設置性が一層向上する。また、本体ケース１１と送風路１３との対向する側壁相互の間隙１００に、可動筒部１３２をケース内部１０の上位置に保持させる機構を設ける必要がないから、その分、送風路１３の左右幅をより大きく設定することもできる。よって、暖房運転や乾燥運転時に、温風を浴室４内に効率良く送出でき、運転性能が一層向上する。
【００４０】
さらに、このものでは、可動筒部１３２をカバー１２に固定する際、本体ケース１１の前壁１１Ａの内側に設けられた軸受け孔３４によって、可動筒部１３２の前後左右へのずれが防止されるから、下端開口部２３の周縁と吹出口２２の周縁上部との間に不要な隙間がより形成され難い。よって、空気漏れによる運転性能の低下をより確実に防止できる。
【００４１】
しかも、このものでは、本体ケース１１と送風路１３との対向する側壁相互の間隙１００に、可動筒部１３２の前後および左右方向への移動を防止するための機構を設ける必要がないから、送風路１３の左右幅をより大きく設定することもできる。よって、暖房運転や乾燥運転時に、温風を浴室４内に効率良く送出でき、運転性能が一層向上する。
【００４２】
尚、上記実施の形態では、可動筒部１３２をカバー１２にネジ締め固定する際、突起３１が弾性変形することで係止片３２１から外れ、非係合状態となるように構成されたものを説明したが、突起３１が可動筒部１３２に固定された状態で設けられており、係合金具３２が前方へ弾性変形することで、突起３１が係止片３２１から外れて非係合状態となるように構成されたものとしてもよい。
【００４３】
また、上記実施の形態では、暖房機能と乾燥機能の両方を有する浴室暖房乾燥機について説明したが、本発明は、排気筒１４や風路切替ダンパ１８を備えていない、暖房機能のみ有する浴室暖房機にも適用できる。
【００４４】
本発明は、本体筒部１３１の下流端部１３３に、加熱手段として熱交換器１６が組み込まれたものを説明したが、ケース内部１０におけるケース開口部１１０とファン１５との間、即ち、ファン１５の上流位置に熱交換器１６が組み込まれたものにも適用できる。また、熱交換器１６に代えて、電気ヒータが組み込まれた浴室暖房機にも適用できる。
【符号の説明】
【００４５】
１      浴室暖房機
１１    本体ケース
１１Ａ  本体ケースの前壁
１２    カバー
１３    送風路
１３Ａ  送風路の前壁
１３１  本体筒部
１３２  可動筒部
１３３  本体筒部の下流端部（ケース開口部側の端部）
１５    ファン（給気手段）
１６    熱交換器（加熱手段）
２２    吹出口
２３    可動筒部の下端開口部
３１    突起
３２    係合金具（係合部）
３２１  係止片
３４    軸受孔（案内部）
【図１】
2016138693.tif 000003
【図２】
2016138693.tif 000004
【図３】
2016138693.tif 000005
【図４】
2016138693.tif 000006
【図５】
2016138693.tif 000007
【図６】
2016138693.tif 000008